(57)【要約】    【課題】  機器の動作可能時間、燃料の補給時期、燃料カートリッジの交換時期などを的確にユーザに知らしめることが可能な情報機器を提供する。    【解決手段】  燃料改質器又は燃料電池の運転状態及び／又は運転環境に応じた燃料の使用量と燃料電池で発電される電流量との関係を表すデータを記憶しておき、このデータに基づいて例えば機器の動作可能な時間を計算することで、的確なタイミングで燃料を補給したり、燃料カートリッジを交換したりすることを可能にする。また、燃料タンクや燃料カートリッジの残量表示と、補助電池の蓄電残量表示と、機器の動作可能時間表示を選択的に表示したり、同時に表示したりすることを可能にする。【選択図】        図３
2005294259.tif 000002
【特許請求の範囲】
【請求項１】
燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料改質器又は前記燃料電池の運転状態及び／又は運転環境に応じた前記燃料の使用量と前記燃料電池で発電される電流量との関係を表すデータを記憶する記憶手段を有し、
前記データに基づいて所定の処理を行うことを特徴とする情報機器。
【請求項２】
前記所定の処理は、前記データに基づいて機器の使用可能時間を計算することを特徴とする請求項１に記載の情報機器。
【請求項３】
燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料の残量を検出する第一の残量検出手段と、
前記補助電池の蓄電残量を検出する第二の残量検出手段とを有し、
前記第一の残量検出手段によって検出された燃料の残量と、前記第二の残量検出手段によって検出された補助電池の蓄電残量と、これら燃料の残量と補助電池の蓄電残量から求められる機器の使用可能時間とを選択的に表示することを特徴とする情報機器。
【請求項４】
燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料の残量を検出する第一の残量検出手段と、
前記補助電池の蓄電残量を検出する第二の残量検出手段とを有し、
前記第一の残量検出手段によって検出された燃料の残量と、前記第二の残量検出手段によって検出された補助電池の蓄電残量と、これら燃料の残量と補助電池の蓄電残量から求められる機器の使用可能時間とを同時に表示することを特徴とする情報機器。
【請求項５】
燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料の残量を検出する第一の残量検出手段と、
前記補助電池の蓄電残量を検出する第二の残量検出手段とを有し、
前記第一の残量検出手段によって検出された燃料の残量と、前記第二の残量検出手段によって検出された補助電池の蓄電残量と、これら燃料の残量と補助電池の蓄電残量から求められる機器の使用可能時間と、前記燃料電池から前記補助電池への充電動作状況とから成る各表示要素のうちの一部又は全部をアイコン表示することを特徴とする情報機器。
【請求項６】
燃料タンクもしくは燃料カートリッジに格納された燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料の残量を検出する残量検出手段を有し、
前記燃料の残量に応じて、前記燃料タンクへの燃料補給もしくは前記燃料カートリッジの交換を促す警告を出力することを特徴とする情報機器。
【請求項７】
前記警告の出力タイミングは、前記補助電池の充電量に応じて調整することを特徴とする請求項６に記載の情報機器。
【請求項８】
燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料改質器の改質動作を制御する手段と、
前記補助電池の充電動作を制御する手段とを有し、
前記燃料改質器の改質動作の準備が未完了である場合で、前記補助電池の充電量が所定量以下であるときに、機器が十分に動作できない状況を表す警告を出力することを特徴とする情報機器。
【請求項９】
燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、
前記燃料改質器の改質動作を制御する手段と、
前記補助電池の充電動作を制御する手段とを有し、
前記燃料改質器の改質動作の準備が未完了である場合で、前記補助電池の充電量が所定量以下であるときに、限定して機器の動作を行うことを特徴とする情報機器。
【請求項１０】
水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、
前記燃料電池の運転状態及び／又は運転環境に応じた水素燃料の使用量と前記燃料電池で発電される電流量との関係を表すデータを記憶する記憶手段を有し、
前記データに基づいて所定の処理を行うことを特徴とする情報機器。
【請求項１１】
前記水素貯蔵器に貯蔵された水素の残量を検出する手段を有し、
前記所定の処理は、前記データを用い、前記水素貯蔵器の水素残量と予め機器内に記憶された機器の動作モードとに応じた消費電力量に基づいて、機器の使用可能時間を計算することを特徴とする請求項１０に記載の情報機器。
【請求項１２】
前記水素貯蔵器に貯蔵された水素の残量を検出する手段と、機器の消費電流を検出する手段とを有し、
前記所定の処理は、前記データを用い、前記水素貯蔵器の水素残量と所定のタイミングでの機器の消費電流とに基づいて、機器の使用可能時間を計算することを特徴とする請求項１０に記載の情報機器。
【請求項１３】
前記水素貯蔵器に貯蔵された水素の残量を検出する手段と、機器の水素の使用量を検出する手段とを有し、
前記所定の処理は、前記データを用いて、前記水素貯蔵器の水素残量と所定のタイミングでの機器の水素使用量とに基づいて、機器の使用可能時間を計算することを特徴とする請求項１０に記載の情報機器。
【請求項１４】
水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、
前記燃料の残量を検出する第一の残量検出手段と、
前記補助電池の蓄電残量を検出する第二の残量検出手段とを有し、
前記第一の残量検出手段によって検出された燃料の残量と、前記第二の残量検出手段によって検出された補助電池の蓄電残量と、これら燃料の残量と補助電池の蓄電残量から求められる機器の使用可能時間とを選択的に表示することを特徴とする情報機器。
【請求項１５】
水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、
前記第一の残量検出手段によって検出された燃料の残量と、前記第二の残量検出手段によって検出された補助電池の蓄電残量と、これら燃料の残量と補助電池の蓄電残量から求められる機器の使用可能時間とを同時に表示することを特徴とする情報機器。
【請求項１６】
水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、
前記燃料の残量を検出する第一の残量検出手段と、
前記補助電池の蓄電残量を検出する第二の残量検出手段とを有し、
前記第一の残量検出手段によって検出された燃料の残量と、前記第二の残量検出手段によって検出された補助電池の蓄電残量と、これら燃料の残量と補助電池の蓄電残量から求められる機器の使用可能時間と、前記燃料電池から前記補助電池への充電動作状況とから成る各表示要素のうちの一部又は全部をアイコン表示することを特徴とする情報機器。
【請求項１７】
水素燃料タンクもしくは水素燃料カートリッジに格納された水素を燃料として発電を行う燃料電池と、前記燃料電池にて発電された電気を一時的に蓄積する補助電池とを備え、前記補助電池の出力によって機器の動作を行う情報機器において、
前記燃料の残量を検出する残量検出手段を有し、
前記燃料の残量に応じて、前記水素燃料タンクへの燃料補給もしくは前記水素燃料カートリッジの交換を促す警告を出力することを特徴とする情報機器。
【請求項１８】
前記警告の出力タイミングは、前記補助電池の充電量に応じて調整することを特徴とする請求項１７に記載の情報機器。
【請求項１９】
前記補助電池は、リチウムイオン二次電池及びニッケル水素二次電池を含む、充電が可能な二次電池で構成されたことを特徴とする請求項１乃至１８に記載の情報機器。
【請求項２０】
前記補助電池は、電気を蓄積可能なコンデンサで構成したことを特徴とする請求項１乃至１８に記載した情報機器。
【請求項２１】
被写体を撮像する撮像手段と、前記撮像手段の出力映像を記録する記録手段とを備えたことを特徴とする請求項１乃至２０に記載の情報機器。
【発明の詳細な説明】
【技術分野】
【０００１】
本発明は、燃料電池を電源とするビデオカメラなどの情報機器に関する。
【背景技術】
【０００２】
ビデオカメラなどの情報機器では、充電可能な二次電池を電源とすることができる。これらの充電可能な二次電池としては、リチウムイオン二次電池や、ニッケル水素二次電池、ニッケルカドミウム二次電池、鉛蓄電池などが使われている。
【特許文献１】特開２００２−４９４４０号公報
【発明の開示】
【発明が解決しようとする課題】
【０００３】
一方、近年、ビデオカメラなどの情報機器の電源として燃料電池が提案されている（例えば、特許文献１を参照）。燃料電池とは、水素を燃料として電気を発電させて電力を得るものである。燃料電池の燃料として、純水素を直接燃料とする方式と共に、原油を原料とするガソリンやＬＰガス、天然ガス、メタノールなどを燃料として、これらの燃料を改質することで改質水素を生成し、この改質水素から発電する方式も各種提案されている。
【０００４】
しかしながら、ビデオカメラなどの情報機器の電源として燃料電池を用いた場合には、燃料補給のタイミングや燃料カートリッジの交換時期を、どのように検出するかが課題となっており、さらに、その検出結果をどのような手法でユーザに知らしめるかも課題となっていた。
【０００５】
本発明は上記従来の問題点に鑑み、機器の動作可能時間、燃料の補給時期、燃料カートリッジの交換時期などを的確にユーザに知らしめることが可能な情報機器を提供することを目的とする。
【課題を解決するための手段】
【０００６】
上記目的を達成するために、本発明の情報機器では、燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料改質器又は前記燃料電池の運転状態及び／又は運転環境に応じた前記燃料の使用量と前記燃料電池で発電される電流量との関係を表すデータを記憶する記憶手段を有し、前記データに基づいて所定の処理を行うことを特徴とする。
【０００７】
本発明の情報機器では、燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料の残量を検出する第一の残量検出手段と、前記補助電池の蓄電残量を検出する第二の残量検出手段とを有し、前記第一の残量検出手段によって検出された燃料の残量と、前記第二の残量検出手段によって検出された補助電池の蓄電残量と、これら燃料の残量と補助電池の蓄電残量から求められる機器の使用可能時間とを選択的に表示することを特徴とする。
【０００８】
本発明の情報機器では、燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料の残量を検出する第一の残量検出手段と、前記補助電池の蓄電残量を検出する第二の残量検出手段とを有し、前記第一の残量検出手段によって検出された燃料の残量と、前記第二の残量検出手段によって検出された補助電池の蓄電残量と、これら燃料の残量と補助電池の蓄電残量から求められる機器の使用可能時間とを同時に表示することを特徴とする。
【０００９】
本発明の情報機器では、燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料の残量を検出する第一の残量検出手段と、前記補助電池の蓄電残量を検出する第二の残量検出手段とを有し、前記第一の残量検出手段によって検出された燃料の残量と、前記第二の残量検出手段によって検出された補助電池の蓄電残量と、これら燃料の残量と補助電池の蓄電残量から求められる機器の使用可能時間と、前記燃料電池から前記補助電池への充電動作状況とから成る各表示要素のうちの一部又は全部をアイコン表示することを特徴とする。
【００１０】
本発明の情報機器では、燃料タンクもしくは燃料カートリッジに格納された燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料の残量を検出する残量検出手段を有し、前記燃料の残量に応じて、前記燃料タンクへの燃料補給もしくは前記燃料カートリッジの交換を促す警告を出力することを特徴とする。
【００１１】
本発明の情報機器では、燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料改質器の改質動作を制御する手段と、前記補助電池の充電動作を制御する手段とを有し、前記燃料改質器の改質動作の準備が未完了である場合で、前記補助電池の充電量が所定量以下であるときに、機器が十分に動作できない状況を表す警告を出力することを特徴とする。
【００１２】
本発明の情報機器では、燃料から改質水素を生成する燃料改質器と、前記改質水素から発電を行う燃料電池と、前記燃料電池にて発電された電気を一時的に蓄積する補助電池とを備え、前記補助電池の出力によって機器の動作を行う情報機器において、前記燃料改質器の改質動作を制御する手段と、前記補助電池の充電動作を制御する手段とを有し、前記燃料改質器の改質動作の準備が未完了である場合で、前記補助電池の充電量が所定量以下であるときに、限定して機器の動作を行うことを特徴とする。
【００１３】
本発明の情報機器では、水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、前記燃料電池の運転状態及び／又は運転環境に応じた水素燃料の使用量と前記燃料電池で発電される電流量との関係を表すデータを記憶する記憶手段を有し、前記データに基づいて所定の処理を行うことを特徴とする。
【００１４】
本発明の情報機器では、水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、前記燃料の残量を検出する第一の残量検出手段と、前記補助電池の蓄電残量を検出する第二の残量検出手段とを有し、前記第一の残量検出手段によって検出された燃料の残量と、前記第二の残量検出手段によって検出された補助電池の蓄電残量と、これら燃料の残量と補助電池の蓄電残量から求められる機器の使用可能時間とを選択的に表示することを特徴とする。
【００１５】
本発明の情報機器では、水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、前記第一の残量検出手段によって検出された燃料の残量と、前記第二の残量検出手段によって検出された補助電池の蓄電残量と、これら燃料の残量と補助電池の蓄電残量から求められる機器の使用可能時間とを同時に表示することを特徴とする。
【００１６】
本発明の情報機器では、水素貯蔵器に貯蔵された水素を燃料として発電を行う燃料電池と、前記燃料電池にて発電された電気を一時的に蓄積する補助電池とを備え、前記補助電池の出力によって機器の動作を行う情報機器において、前記燃料の残量を検出する第一の残量検出手段と、前記補助電池の蓄電残量を検出する第二の残量検出手段とを有し、前記第一の残量検出手段によって検出された燃料の残量と、前記第二の残量検出手段によって検出された補助電池の蓄電残量と、これら燃料の残量と補助電池の蓄電残量から求められる機器の使用可能時間と、前記燃料電池から前記補助電池への充電動作状況とから成る各表示要素のうちの一部又は全部をアイコン表示することを特徴とする。
【００１７】
本発明の情報機器では、水素燃料タンクもしくは水素燃料カートリッジに格納された水素を燃料として発電を行う燃料電池と、前記燃料電池にて発電された電気を一時的に蓄積する補助電池とを備え、前記補助電池の出力によって機器の動作を行う情報機器において、前記燃料の残量を検出する残量検出手段を有し、前記燃料の残量に応じて、前記水素燃料タンクへの燃料補給もしくは前記水素燃料カートリッジの交換を促す警告を出力することを特徴とする。
【発明の効果】
【００１８】
以上詳細に説明したように本発明によれば、燃料改質器又は燃料電池の運転状態及び／又は運転環境に応じた燃料の使用量と燃料電池で発電される電流量との関係を表すデータを記憶しておき、このデータに基づいて例えば機器の動作可能な時間を計算することで、的確なタイミングで燃料を補給したり、燃料カートリッジを交換したりすることが可能になる。
【００１９】
さらに、燃料タンクや燃料カートリッジの残量表示と、補助電池の蓄電残量表示と、機器の動作可能時間表示を選択的に表示したり、同時に表示したりすることを可能にすることで、限られた表示スペースにおいて、使用者の望む表示を選択でき、使用感を高めることが可能になる。
【００２０】
また、燃料タンクや燃料カートリッジの残量と、補助電池の蓄電残量と、機器の動作可能時間と、燃料電池から補助電池への充電動作状況の、一部又は全部をアイコンによって表示することで、限られた表示スペースにて、使用状況や稼動状況を、使用者に的確に知らせることが可能になる。
【００２１】
また、燃料の残量に応じて、燃料タンクへの燃料補給もしくは燃料カートリッジの交換を促す警告を出力することで、的確なタイミングで、燃料補給やカートリッジ交換を行うことが可能になる。
【００２２】
さらに、燃料電池や燃料改質器の改質動作の準備が未完了である場合で、前記補助電池の充電量が所定量以下であるときに、機器が十分に動作できない状況を表す警告を出力することで、ユーザに状況を知らせるとともに、機器の動作を禁止したり、機器の動作を限定して行わせることが可能になる。
【発明を実施するための最良の形態】
【００２３】
以下、本発明の実施の形態を図面に基づいて説明する。
【００２４】
［第一実施形態］
＜ハード構成＞
図１は、第一実施形態に係る情報機器のハード構成を示すブロック図である。第一実施形態に係る情報機器は、燃料電池を電源としたビデオカメラであっても、それ以外の画像処理装置であってもよい。
【００２５】
図１中の１０１はビデオカメラブロック、１０２は記録／再生ブロック、１０３はランダムアクセス可能な記録メディア（光ディスク、光磁気ディスク、ハードディスク、固体メモリ、不揮発メモリなど）であり、ＣＰＵバス１０８を介して接続されたＣＰＵ１０４に制御されて動作する。カメラブロック１０１で撮影された静止画像や動画像は、記録／再生ブロック１０２で圧縮符号化されて記録メディア１０３へ記録される。
【００２６】
スイッチ１０６は外部操作スイッチであり、ユーザから指示されている機器のモードや状態（例えば記録モードや再生モード）をＣＰＵ１０４へ知らせ、ＣＰＵ１０４はこれに従い、機器の各部を制御する。ＥＥＰＲＯＭ１０５は、機器の情報を予め記憶しておくための不揮発メモリであり、表示器１０７は、液晶ディスプレイや、ＣＲＴディスプレイに代表されるモニタディスプレイである。表示器１０７では、ビデオカメラブロック１０１から出力される動画像や静止画像、又は記録メディア１０３に記録されて記録／再生ブロック１０２で再生される動画像や静止画像を表示するのと同時に、ＣＰＵ１０４から指示された機器の各種情報を、例えば図３や図４のように、前記映像の上にオンスクリーンディスプレイとして、文字やアイコン表示する。
【００２７】
燃料カートリッジ１１０は、メタノールやガソリン、ＬＰガス、天然ガスなどに代表される燃料を格納する燃料容器で、燃料１２２が改質器１１１に送られ、改質器１１１にて改質水素に改質される。この際、改質器１１１はＣＰＵ１０４の指示で改質器制御回路１１４を介して制御される。改質器１１１で改質された改質水素１２３は、燃料電池１１２へ送られ、雰囲気中の酸素（非表示）と結合することで発電され、同時に水（非表示）を排出する。
【００２８】
燃料電池１１２で発電された電気は、電流１２４として二次電池１１３に供給され充電される。この際、二次電池１１３は、ＣＰＵ１０４の指示のもと充電制御回路１１５にて制御されて充電される。ビデオカメラの各部（カメラブロック１０１、記録／再生ブロック１０２、ＣＰＵ１０４、他）は、二次電池１１３から電流１２１の供給を受けて動作する。
【００２９】
燃料残量検出器１１６は、燃料カートリッジ１１０内の燃料の残量検出を行う。燃料流量検出器１１７は、燃料カートリッジ１１０から改質器１１１へ供給される燃料１２２の供給流量を検出する。改質水素流量検出器１１８は、改質器１１１で改質されて燃料電池１１２へ供給される改質水素１２３の供給流量を検出し、充電電流検出器１１９は、燃料電池１１２から二次電池１１３へ充電される充電電流量１２４を検出し、二次電池残量検出器１２０は、二次電池１１３の残量（充電量）を検出する。
【００３０】
また、ＣＰＵ１０４は、ＣＰＵバス１０８を介して、燃料残量検出器１１６、燃料流量検出器１１７、改質水素流量検出器１１８、充電電流検出器１１９、及び二次電池残量検出器１２０に定期的にアクセスすることで、電源系の各情報入手して、これらの情報を基に、機器のモード（記録モード／再生モードなど）ごとに動作可能時間を検出したり、表示器１０７を介してユーザに逐次電源の状態情報を知らせたりする。
【００３１】
＜動作可能時間の検出アルゴリズム＞
次に、図２のフローチャートを用いて、ＣＰＵ１０４がビデオカメラの動作可能時間を検出するアルゴリズムについて説明する。
【００３２】
まずステップＳ２０１において、ＣＰＵ１０４は、燃料流量検出器１１７にて燃料の流量を検出し、ステップＳ２０２では、改質器１１１の運転状況について調べる。ここで述べる運転状況とは、改質器１１１の現在の動作温度や、改質器１１１の運転モード（例えば、始動中、定常運転中、終了動作中など）を表す。
【００３３】
この燃料の流量や改質器１１１の運転状況を基に、ステップＳ２０３では、ＥＥＰＲＯＭ１０５から、現在の状況における改質水素発生効率Ｖ２２０を読み込む。なお、ＥＥＰＲＯＭ１０５には、前もって燃料の流量や改質器１１１の運転状況に応じた改質水素の発生効率を測定するなどして覚えさせておく。
【００３４】
次に、ステップＳ２０９において、残量検出器１１６にて燃料カートリッジ１１０の残量を検出して、ステップＳ２０８にて発生効率Ｖ２２０に乗ずることで、これからの改質水素の発生可能量Ｖ２２１を求める。さらに、ステップＳ２１１において、変換済みで且つまだ発電をしていない改質水素の量（改質器１１１と燃料電池１１２の間に溜まっている改質水素の量）を検出して、ステップＳ２１０にて加算して、発電可能な改質水素の総量Ｖ２２３を求める。
【００３５】
一方、ステップＳ２０４では、燃料電池１１２の運転状況（例えば運転温度や運転負荷状況など）を検出して、予めこれらの相関関係のデータを記憶したＥＥＰＲＯＭ１０５からデータを読み出すことで、発電効率Ｖ２２２を調べる。そしてステップＳ２１２では、ステップＳ２１０で求めた改質水素の総量Ｖ２２３に発電効率を乗ずることで、燃料電池１１２で発電可能な電力量Ｖ２２４を求める。
【００３６】
続いてステップＳ２１３では、二次電池１１３の残量検出器１２０にて残量を検出して、ステップＳ２１４にて燃料電池１１２での発電可能な電力量Ｖ２２４と加算することで、機器の使用できる総電力量Ｖ２２５を求める。
【００３７】
また、ステップＳ２０６では、機器の動作モード（例えば、記録モードや再生モードなど）から、ステップＳ２０７において、予め機器の動作モードと消費電流との関係を記憶させたＥＥＰＲＯＭ１０５から読み込むことで、機器の現在の消費電流Ｖ２２６を調べる。ステップＳ２１４では、機器で使用できる総電力量Ｖ２２５を消費電流Ｖ２２６で除することで、動作可能時間（ステップＳ２１６）を求める。
【００３８】
＜動作可能時間などの表示＞
次に、上述したアルゴリズムで求めた動作可能時間を、どのように表示してユーザに知らせるかについて、図３（Ａ）〜（Ｆ）を参照して説明する。
【００３９】
図３（Ａ）〜（Ｆ）は、第一実施形態の残量表示などを表す画面図であり、文字によって情報を表示する例を示している。
【００４０】
図中の３０１は、表示器１０７のスクリーンの外枠であり、このスクリーンの中に、ＣＰＵ１０４の指示により、カメラや記録メディアの記録／再生画像が表示されると同時に、オンスクリーン表示にてユーザに情報を知らせる例である。
【００４１】
図３（Ａ）では、燃料残量検出器１１６で検出された燃料カートリッジ１１０の燃料残量のみを表示枠３０２に文字情報表示している例を示している。図３（Ｂ）は、二次電池残量検出器１２０にて検出された二次電池１１３の残量のみを表示枠３０３に文字情報表示している例を示している。図３（Ｃ）は、上述のアルゴリズムにて求めた動作可能時間のみを表示枠３０４に文字情報表示している例を示している。
【００４２】
また、図３（Ｄ）は、図３（Ａ）、（Ｂ）、（Ｃ）にて別々に表示した、燃料残量と二次電池残量と動作可能時間の３つを同時に表示枠３０５に文字情報表示している例を示している。なお、この図３（Ａ）〜（Ｄ）までの表示形式は、スイッチ１０６を操作することで切り替えることが可能であり、ユーザの好みの表示形態を自由に選択することができる。
【００４３】
次に、図３（Ｅ）、（Ｆ）では、アイコンを使って表現した例を示している。すなわち、燃料残量をアイコン３１１で表現し、二次電池残量をアイコン３１３で表現する。動作可能時間は、アイコン３１４のような文字形態で表現している。
【００４４】
この図３（Ｅ）、（Ｆ）では、新たに、燃料電池１１２の稼動状態を示すアイコン３１２も表示している。図３（Ｅ）のアイコン３１２は、燃料電池１１２や改質器１１１が稼動状態で、二次電池１１３に充電を行っている最中であることを表しており、図３（Ｆ）のアイコン３１２は、二次電池１１３が満充電であるので、燃料電池１１２や改質器１１１は停止状態にあることを示している。
【００４５】
＜警告の表示＞
次に、種々の警告をユーザに発する表示例について、図４（Ａ）〜（Ｆ）を参照して説明する。なお、図３（Ａ）〜（Ｆ）と共通の要素には同一の符号を付し、その説明を省略する。
【００４６】
図４（Ａ）、（Ｂ）は、第一実施形態の警告表示を表す画面図であり、燃料カートリッジ１１０が空になったことをユーザに知らせる警告の例である。
【００４７】
図４（Ａ）では、カートリッジ残量が例えば１０％を下回ったならば、そのときの表示が、たとえカートリッジ残量表示でない場合（図３（Ｂ）、（Ｃ））であったとしても、強制的にカートリッジ残量表示（３０２）に切り替えて、加えて“カートリッジを交換してください”と表示（４０２）にする例を示している。
【００４８】
図４（Ｂ）では、燃料カートリッジ１１０が空になったのを、燃料カートリッジ１１０のアイコン３１１を点滅させて、加えて“カートリッジを交換してください”と表示（４１５）にする例を示している。
【００４９】
図４（Ｃ）、（Ｄ）では、まもなく燃料カートリッジ１１０が空になることをユーザに知らせる警告の例を示している。図４（Ｃ）、（Ｄ）は共にアイコン表示であり、燃料カートリッジアイコン３１１を点滅させて警告しつつ、“カートリッジの準備をしてください”という意味合いの警告表示４２５、４３５を所定時間だけ表示する。
【００５０】
なお、この警告を発するタイミングは、二次電池１１３の残量にも依存して決めており、図４（Ｃ）の二次電池残量表示３１３で表された残量の方が、図４（Ｄ）の二次電池残量表示３１３で表された残量の方よりも多いので、燃料カートリッジ１１０の残量が図４（Ｃ）の方が図４（Ｄ）よりも少ないにもかかわらず、警告が出ている例である。ここでは、二次電池１１３の残量にも依存して警告を出したが、二次電池１１３だけに依存するのではなく、機器の動作可能時間とカートリッジ残量に依存して警告を出しても構わない。
【００５１】
図４（Ｅ）、（Ｆ）では、長期間、機器を使用しなかったりして、燃料カートリッジ１１０の残量はまだあるにもかかわらず、二次電池１１３の残量があまり残っていないときに、改質器１１１がまだ十分に起動していため、改質水素を十分に生成できずに充電が追いつかないときの警告の例を示している。
【００５２】
図４（Ｅ）の例では、充電が間に合わないので機器を動作できないため、動作可能時間の表示３１４は同図に示すようなキャンセル表示になると共に、燃料電池１１２の稼動状態を示すアイコン３１２が点滅し、さらに“充電が間に合いません“という警告表示４４５を出す。
【００５３】
また、図４（Ｆ）の例では、同様に充電が間に合わないので、機器を十分に動作できないが、例えば、消費電力の低い再生モードのみは動かすことができるだけの電力があるので、動作可能時間の表示３１４は同図に示すような有効表示になると共に、”再生モードのみ動作可能です“と警告表示４５５を出す例である。
【００５４】
なお、ここで表現されているオンスクリーン表示の言葉やアイコンの図柄、警告の文言は、これに制限されるものではなく、同様の意味合いをユーザに対して伝えられるならば、どのような表現でも構わない。
【００５５】
本実施形態によれば、燃料電池１１２を電源とした、画像記録再生装置などの情報機器において、予め燃料電池１１２の運転状況に応じた発電効率を記憶しておき、これに基づいて機器の動作可能な時間を計算することで、的確なタイミングで燃料カートリッジ１１０を交換することができる。
【００５６】
さらに、燃料カートリッジ１１０の残量表示と、二次電池１１３の残量表示と、機器の動作可能時間を選択的に表示したり、同時に表示したりすることを可能にすることで、限られた表示スペースにおいて、使用者の望む表示を選択できるメリットがあり、使用感を高めることができる。
【００５７】
また、燃料カートリッジ１１０の残量表示と、二次電池１１３の残量表示と、機器の動作可能時間と、燃料電池１１２から二次電池１１３への充電動作の、全部もしくは一部をアイコンにて表示することで、限られた表示スペースにて、使用状況や稼動状況を、使用者に的確に分からせることができる。
【００５８】
そして、燃料の減少とともに、カートリッジ交換のための警告を段階的に、また二次電池１１３の残量や機器の動作可能時間を考慮しつつ、文字又はアイコンで表示することで、的確なタイミングで燃料補給やカートリッジの交換ができる。
【００５９】
さらに、燃料電池１１２や改質器１１１の起動中で、まだ二次電池１１３に充電が十分にできないにもかかわらず、二次電池１１３の充電量が少ない時には、警告を出すことで、ユーザに状況を知らせると共に、機器の動作を禁止したり、機器の動作を限定して行わせることもできる。
【００６０】
なお、本実施形態では、燃料カートリッジ１１０を交換するタイプで実施形態を説明したが、燃料タンクに直に燃料を補給するタイプでも構わないし、それに合わせて、警告などのオンスクリーンの言葉や図柄を変えても構わない。
【００６１】
［第二実施形態］
第二実施形態では、純水素を直接燃料とするタイプの燃料電池を電源とした場合について説明する。
【００６２】
＜ハード構成＞
図５は、第二実施形態に係る情報機器のハード構成を示すブロック図である。第二実施形態に係る情報機器は、燃料電池を電源としたビデオカメラであっても、それ以外の画像処理装置であってもよい。なお、上記第一実施形態の図１と同じ機能を有するブロックに関しては同じ符号で表し、説明を省略する。
【００６３】
水素燃料は水素貯蔵機５１０に貯蔵され、純水素（水素燃料）５２３が燃料電池１１２へ供給されて発電される。水素貯蔵器５１０の純水素の残量は、水素残量検出器５１６で検出され、水素貯蔵器５１０から燃料電池１１２への水素供給量（流量）は、純水素流量検出器５１８にて検出して、それぞれＣＰＵバス１０８を介してＣＰＵ１０４へ伝えられる。また、二次電池１１３の出力は機器各部へ供給され機器が動作するが、この機器各部へ供給される電流は、消費電流検出回路５１９にて検出され、同様にＣＰＵ１０４に伝えられる。
【００６４】
＜動作可能時間の検出アルゴリズム＞
次に、図６（Ａ）を用いて、本実施形態における動作可能時間の計算アルゴリズム（第１の例）について説明する。
【００６５】
まずステップＳ６０１では、ＣＰＵ１０４は、燃料電池の運転状況（例えば運転温度や運転モードなどの運転負荷状況など）を検出し、続くステップＳ６０２にて予めこれらの相関関係のデータを記憶したＥＥＰＲＯＭ１０５からデータを読み出すことで、発電効率を調べる。
【００６６】
そして、ステップＳ６０３において残量検出器５１６にて検出した水素の総残量にステップＳ６０４にて発電効率を乗ずることで、燃料電池で発電可能な電力量Ｖ６３０を求める。ステップＳ６０５では、二次電池１１３の残量検出器１２０にて残量を検出して、ステップＳ６０６にて燃料電池での発電可能な電力量Ｖ６３０と加算することで、機器の使用できる総電力量Ｖ６３１を求める。
【００６７】
一方、ステップＳ６０７では、機器の動作モード（例えば記録モードや再生モードなど）から、ステップＳ６０８にて、予め機器の動作モードと消費電流との関係を記憶させたＥＥＰＲＯＭ１０５から読み込むことで、機器の現在の消費電流を調べる。ステップＳ６０９では、機器で使用できる総電力量Ｖ６３１を現在の消費電流で除することで、動作可能時間を求める（ステップＳ６１０）。
【００６８】
図６（Ｂ）は、本実施形態における動作可能時間の計算アルゴリズムに関する第２の例について説明するものである。
【００６９】
本例では、機器の消費電力をＥＥＰＲＯＭ１０５のデータから推測するのではなく、ステップＳ６２０において消費電流検出回路５１９にて実測した結果を基に動作可能な時間を求めるようにしたものである。
【００７０】
図６（Ｃ）は、本実施形態における動作可能時間の計算アルゴリズムに関する第３の例について説明するものである。
【００７１】
本例では、動作可能時間の求め方として、ＥＥＰＲＯＭ１０５の発電効率データを基に機器のもつ電力量に換算する方式ではなく、水素残量検出器５１６で検出した水素貯蔵残量を純水素流量検出器５１８で検出した水素流量で除した値と、二次電池残量検出器１２０で検出した二次電池１１３の残量を消費電流検出回路５１９で検出した消費電流量で除した値を加算して、動作可能時間を求める方式のアルゴリズムである。
【００７２】
＜動作可能時間などの表示＞
次に、上述したアルゴリズムで求めた動作可能時間を、どのように表示してユーザに知らせるかについて、第二実施形態の残量表示などを表す画面図である図７（Ａ）〜（Ｆ）を参照して説明する。
【００７３】
第一実施形態の図３に示す表示例がカートリッジ燃料の残量を表示したのに対して、図７（Ａ）〜（Ｆ）は、水素貯蔵器５１０の水素残量を表示するように置き換えたものであり（７０２，７０３，７０５，７１１）、ディスプレイ上の表現も、“カートリッジ残量”から“水素残量”に替わっている（７０２，７０３，７０５）。
【００７４】
＜警告の表示＞
次に、種々の警告をユーザに発する表示例について、第二実施形態の警告表示を表す画面図である図８（Ａ）〜（Ｆ）を参照して説明する。
【００７５】
図８（Ａ）〜（Ｄ）に示す表示例は、図４（Ａ）〜（Ｄ）において、カートリッジに対して水素を直接補給するように警告の文言を替えたものである。したがって、“カートリッジを交換してください”の警告表示４０２，４１５が“水素を補給してください”の警告表示８０２，８１５に替わっており、“カートリッジを準備してください”の警告表示４２５，４３５が“まもなく水素の補給が必要です”の警告表示８２５，８３５に替わっている。
【００７６】
但し、ここで表現されているオンスクリーン表示の言葉やアイコンの図柄、警告の文言は、これに制限されるものではなく、同様の意味合いをユーザに対して伝えられるならば、どのような表現でも構わない。
【００７７】
また、本実施形態では、水素貯蔵器５１０に純水素を貯蔵して燃料とすることから、水素を外部からタンクに補給するイメージになっているが、水素カートリッジを交換するタイプでも構わないし、液体水素を補給するタイプでも構わない。
【００７８】
本実施形態によれば、燃料電池１１２を電源とした、画像記録再生装置などの情報機器において、予め燃料電池１１２の運転状況に応じた発電効率を記憶しておき、これに基づいて機器の動作可能な時間を計算することで、的確なタイミングで燃料補給することができる。
【００７９】
さらに、水素貯蔵器５１０の残量表示と、二次電池１１３の残量表示と、機器の動作可能時間を選択的に表示したり、同時に表示したりすることを可能にすることで、限られた表示スペースにおいて、使用者の望む表示を選択できるメリットがあり、使用感を高めることができる。
【００８０】
また、水素貯蔵器５１０の残量表示と、二次電池１１３の残量表示と、機器の動作可能時間と、燃料電池１１２から二次電池１１３への充電動作の、全部もしくは一部をアイコンにて表示することで、限られた表示スペースにて、使用状況や稼動状況を、使用者に的確に分からせることができる。
【００８１】
そして、燃料の減少とともに、燃料補給のための警告を段階的に、また二次電池１１３の残量や機器の動作可能時間を考慮しつつ、文字又はアイコンで表示することで、的確なタイミングで燃料補給やカートリッジの交換ができる。
【００８２】
さらに、燃料電池１１２や改質器１１１の起動中で、まだ二次電池１１３に充電が十分にできないにもかかわらず、二次電池１１３の充電量が少ない時には、警告を出すことで、ユーザに状況を知らせると共に、機器の動作を禁止したり、機器の動作を限定して行わせることもできる。
【００８３】
なお、上述した図２又は図６のフローチャートに従ったプログラムを例えばＥＥＰＲＯＭ１０５に格納し動作することにより、上述の制御方法を実現させることが可能となる。
【００８４】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは述べるまでもない。
【００８５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは述べるまでもない。
【００８６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは述べるまでもない。
【図面の簡単な説明】
【００８７】
【図１】第一実施形態に係る情報機器のハード構成を示すブロック図である。
【図２】第一実施形態に係る動作可能時間の検出アルゴリズムを示すフローチャートである。
【図３】第一実施形態の残量表示を表す画面図である。
【図４】第一実施形態の警告表示を表す画面図である。
【図５】本発明の第二実施形態に係る情報機器のハード構成を示すブロック図である。
【図６】第二実施形態に係る動作可能時間の検出アルゴリズムを示す図である。
【図７】第二実施形態の残量表示などを表す画面図である。
【図８】第二実施形態の警告表示を表す画面図である。
【符号の説明】
【００８８】
１０１  ビデオカメラブロック
１０２  記録／再生ブロック
１０３  記録メディア
１０４  ＣＰＵ
１０７  表示器
１１０  燃料カートリッジ
１１１  改質器
１１２  燃料電池
１１３  二次電池
１１４  改質器制御回路
１１５  充電制御回路
１１６  燃料残量検出器
１１８  改質水素流量検出器
１１９  充電電流検出器
１２０  二次電池残量検出器
５１０  水素貯蔵機
５１６  水素残量検出器
５１９  消費電流検出回路
【図１】
2005294259.tif 000003
【図２】
2005294259.tif 000004
【図３】
2005294259.tif 000005
【図４】
2005294259.tif 000006
【図５】
2005294259.tif 000007
【図６】
2005294259.tif 000008
【図７】
2005294259.tif 000009
【図８】
2005294259.tif 000010
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
燃料電池を用いることができる情報機器であって、
前記燃料電池で発電された電気により充電される二次電池の残量を取得する二次電池残量取得手段と、
前記二次電池の残量を考慮して前記情報機器の動作可能時間を取得する動作可能時間取得手段とを有し、
前記動作可能時間を表示手段に表示できるようにしたことを特徴とする情報機器。
【請求項２】
前記燃料電池に供給される燃料の残量を取得する燃料残量取得手段をさらに有し、
前記動作可能時間取得手段は、前記二次電池の残量だけでなく、前記燃料の残量を考慮して前記動作可能時間を取得することを特徴とする請求項１に記載の情報機器。
【請求項３】
前記動作可能時間取得手段は、前記二次電池の残量だけでなく、前記情報機器の動作モードを考慮して前記動作可能時間を取得することを特徴とする請求項１又は２に記載の情報機器。
【請求項４】
前記動作可能時間取得手段は、前記二次電池の残量だけでなく、前記燃料電池に供給される燃料を改質する改質手段の運転状況を考慮して前記動作可能時間を取得することを特徴とする請求項１から３の何れかに記載の情報機器。
【請求項５】
前記動作可能時間取得手段は、前記二次電池の残量だけでなく、前記燃料電池の運転状況を考慮して前記動作可能時間を取得することを特徴とする請求項１から３の何れかに記載の情報機器。
【請求項６】
前記燃料電池が稼動しているか否かを前記表示手段に表示できるようにしたことを特徴とする請求項１から５の何れかに記載の情報機器。
【請求項７】
前記燃料電池に供給される燃料を格納する格納手段の交換を警告するための文字列を前記表示手段に表示できるようにしたことを特徴とする請求項１から６の何れかに記載の情報機器。
【請求項８】
前記燃料電池に供給される燃料の補給を警告するための文字列を前記表示手段に表示できるようにしたことを特徴とする請求項１から６の何れかに記載の情報機器。
【請求項９】
前記表示手段は、前記情報機器で撮影された画像を表示するものであることを特徴とする請求項１から８の何れかに記載の情報機器。
【請求項１０】
前記表示手段は、記録メディアから再生された画像を表示するものであることを特徴とする請求項１から９の何れかに記載の情報機器。
【請求項１１】
前記情報機器は、ビデオカメラであることを特徴とする請求項１から１０の何れかに記載の情報機器。
【請求項１２】
燃料電池を用いることができる情報機器の動作可能時間表示方法であって、
前記燃料電池で発電された電気により充電される二次電池の残量を取得する二次電池残量取得工程と、
前記二次電池の残量を考慮して前記情報機器の動作可能時間を取得する動作可能時間取得工程と、
前記動作可能時間を表示手段に表示する動作可能時間表示工程とを有することを特徴とする動作可能時間表示方法。
【請求項１３】
前記燃料電池に供給される燃料の残量を取得する燃料残量取得工程をさらに有し、
前記動作可能時間取得工程は、前記二次電池の残量だけでなく、前記燃料の残量を考慮して前記動作可能時間を取得することを特徴とする請求項１２に記載の動作可能時間表示方法。
【請求項１４】
前記動作可能時間取得工程は、前記二次電池の残量だけでなく、前記情報機器の動作モードを考慮して前記動作可能時間を取得することを特徴とする請求項１２又は１３に記載の動作可能時間表示方法。
【請求項１５】
前記動作可能時間取得工程は、前記二次電池の残量だけでなく、前記燃料電池に供給される燃料を改質する改質手段の運転状況を考慮して前記動作可能時間を取得することを特徴とする請求項１２から１４の何れかに記載の動作可能時間表示方法。
【請求項１６】
前記動作可能時間取得工程は、前記二次電池の残量だけでなく、前記燃料電池の運転状況を考慮して前記動作可能時間を取得することを特徴とする請求項１２から１５の何れかに記載の動作可能時間表示方法。
【請求項１７】
前記燃料電池が稼動しているか否かを前記表示手段に表示する工程をさらに有することを特徴とする請求項１２から１６の何れかに記載の動作可能時間表示方法。
【請求項１８】
前記燃料電池に供給される燃料を格納する格納手段の交換を警告するための文字列を前記表示手段に表示する工程をさらに有することを特徴とする請求項１２から１７の何れかに記載の動作可能時間表示方法。
【請求項１９】
前記燃料電池に供給される燃料の補給を警告するための文字列を前記表示手段に表示する工程をさらに有することを特徴とする請求項１２から１７の何れかに記載の動作可能時間表示方法。
【請求項２０】
前記表示手段は、前記情報機器で撮影された画像を表示するものであることを特徴とする請求項１２から１９の何れかに記載の動作可能時間表示方法。
【請求項２１】
前記表示手段は、記録メディアから再生された画像を表示するものであることを特徴とする請求項１２から２０の何れかに記載の動作可能時間表示方法。
【請求項２２】
前記情報機器は、ビデオカメラであることを特徴とする請求項１２から２１の何れかに記載の動作可能時間表示方法。
【請求項２３】
請求項１２から２２の何れかに記載の動作可能時間表示方法を情報機器に実行させるプログラムを記憶したことを特徴とする記憶媒体。
【請求項２４】
請求項１２から２２の何れかに記載の動作可能時間表示方法を情報機器に実行させることを特徴とするプログラム。
【手続補正３】
【補正対象書類名】明細書
【補正対象項目名】０００１
【補正方法】変更
【補正の内容】
【０００１】
本発明は、ビデオカメラなどの情報機器であって燃料電池を用いることができるものに関する。
【手続補正４】
【補正対象書類名】明細書
【補正対象項目名】０００５
【補正方法】変更
【補正の内容】
【０００５】
そこで、本発明は、燃料の補給時期、燃料カートリッジの交換時期などをユーザに知らせることができるようにすることを目的とする。
【手続補正５】
【補正対象書類名】明細書
【補正対象項目名】０００６
【補正方法】変更
【補正の内容】
【０００６】
本発明に係る情報機器は、例えば、燃料電池を用いることができる情報機器であって、前記燃料電池で発電された電気により充電される二次電池の残量を取得する二次電池残量取得手段と、前記二次電池の残量を考慮して前記情報機器の動作可能時間を取得する動作可能時間取得手段とを有し、前記動作可能時間を表示手段に表示できるようにしたことを特徴とする。
【手続補正６】
【補正対象書類名】明細書
【補正対象項目名】０００７
【補正方法】変更
【補正の内容】
【０００７】
本発明に係る動作可能時間表示方法は、例えば、燃料電池を用いることができる情報機器の動作可能時間表示方法であって、前記燃料電池で発電された電気により充電される二次電池の残量を取得する二次電池残量取得工程と、前記二次電池の残量を考慮して前記情報機器の動作可能時間を取得する動作可能時間取得工程と、前記動作可能時間を表示手段に表示する動作可能時間表示工程とを有することを特徴とする。
【手続補正７】
【補正対象書類名】明細書
【補正対象項目名】０００８
【補正方法】変更
【補正の内容】
【０００８】
本発明に係る記憶媒体は、例えば、上記の動作可能時間表示方法を情報機器に実行させるプログラムを記憶したことを特徴とする。
【手続補正８】
【補正対象書類名】明細書
【補正対象項目名】０００９
【補正方法】変更
【補正の内容】
【０００９】
本発明に係るプログラムは、例えば、上記の動作可能時間表示方法を情報機器に実行させることを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】変更
【補正の内容】
【００１８】
本発明によれば、燃料電池を用いることができる情報機器の動作可能時間を表示することができるので、燃料の補給時期、燃料カートリッジの交換時期などをユーザに知らせることができる。
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】